(57)【要約】【課題】サイズを大きくすることなく、必要な電装部品を収納し、サービス性を損なわない電装箱を提供すること。【解決手段】一面に複数の電装部品が固定される箱本体２１と、この箱本体２１の開口部を閉塞するもので該箱本体２１に取付け及び取外し可能に固定される蓋体２２とを備えた電装箱２０であって、前記箱本体２１内に前記一面とは離間した位置に配線が接続される複数の端子を備える端子板３８を端子板用取付板３２を介して配設すると共に、この端子板３８と前記一面との間にヒューズ４０及びヒューズホルダ４１の少なくとも一部を配設する。【選択図】図６
2007113819.tif 000002
【特許請求の範囲】
【請求項１】
一面に複数の電装部品が固定される箱本体と、この箱本体の開口部を閉塞するもので該箱本体に取付け及び取外し可能に固定される蓋体とを備えた電装箱において、前記箱本体内に前記一面とは離間した位置に配線が接続される複数の端子を備える端子台を配設すると共に、この端子台と前記一面との間に取付け方向性のない電装部品の少なくとも一部を配設したことを特徴とする電装箱。
【請求項２】
取付け方向性のない前記電装部品を前記端子台に対して取付ける方向を問うことなく配設したことを特徴とする請求項１に記載の電装箱。
【請求項３】
取付け方向性のない前記電装部品を前記端子台に対して斜めとなるように配設したことを特徴とする請求項１に記載の電装箱。
【発明の詳細な説明】
【技術分野】
【０００１】
本発明は、複数の電装部品を収納せる電装箱に関するものである。詳述すれば、冷却システムの室外側ユニットとして用いられる熱交換ユニット等に内蔵される電装箱に関する。
【背景技術】
【０００２】
熱交換ユニットに内蔵される電装箱については、例えば特許文献１等に開示されている。そして、一般に、前記電装箱に収納せる電装部品は、圧縮機の出力が大きくなるに伴い、この電装箱の容積も大きくならざるを得ない。
【特許文献１】特開平６−５０５７４号公報
【発明の開示】
【発明が解決しようとする課題】
【０００３】
しかし、例えば熱交換ユニット等に圧縮機等を収納するために、電装箱は、一般的に高さ、幅の大きさの制約があり、大きくすることができない。
【０００４】
そこで本発明は、サイズを大きくすることなく、必要な電装部品を収納し、サービス性を損なわない電装箱を提供することを目的とする。
【課題を解決するための手段】
【０００５】
このため第１の発明は、一面に複数の電装部品が固定される箱本体と、この箱本体の開口部を閉塞するもので該箱本体に取付け及び取外し可能に固定される蓋体とを備えた電装箱において、前記箱本体内に前記一面とは離間した位置に配線が接続される複数の端子を備える端子台を配設すると共に、この端子台と前記一面との間に取付け方向性のない電装部品の少なくとも一部を配設したことを特徴とする。
【０００６】
第２の発明は、第１の電装箱に係る発明において、取付け方向性のない前記電装部品を前記端子台に対して取付ける方向を問うことなく配設したことを特徴とする。
【０００７】
第３の発明は、第１の電装箱に係る発明において、取付け方向性のない前記電装部品を前記端子台に対して斜めとなるように配設したことを特徴とする。
【発明の効果】
【０００８】
本発明は、サイズを大きくすることなく、必要な電装部品を収納し、サービス性を損なわない電装箱を提供することができる。
【発明を実施するための最良の形態】
【０００９】
次に、本発明の実施の形態について説明する。図１は本発明に係る凝縮ユニットの平面図、図２は同じく正面図であり、本発明に係る冷却システムは、冷凍ショーケースや冷蔵ショーケース等のショーケース室内を所定温度に冷却するために用いられるものであり、凝縮ユニット（熱交換装置）１と、これに接続される蒸発器（図外）とから構成される。
【００１０】
前記凝縮ユニット（熱交換装置）１は外観を底板、上板、左右の側板及び前後板で構成した筐体で構成してもよいが、底板のみで構成する。そして、この底板であるユニットベース２上にロータリー式やスクロール式の圧縮機３、凝縮器４、送風ファン５と電動機６から成る３つの凝縮器放熱用送風機７、受液器８、冷却システムの制御に係わる複数の各種電装部品等を収納する電装箱２０等が配設され、前記凝縮器４から後述の出口側のサービスバルブ１１に至る冷媒回路と、後述の入口側のサービスバルブ１２から圧縮機３に至る冷媒回路とを包含した構成である。
【００１１】
以上のような構成において、冷却システムの冷媒回路内には所定量の冷媒が封入され、各サービスバルブ１１、１２等が開いている状態において、圧縮機３が運転すると、この圧縮機３から高温高圧のガス冷媒が吐出され、このガス冷媒は配管を通って凝縮器４へ流入する。流入したガス冷媒は、凝縮器放熱用送風機７の運転により放熱して凝縮液化して配管へ流入した液冷媒は受液器８に貯留され、気液分離されて液冷媒だけがドライヤ（図示せず）等を通ってサービスバルブ１１へ達する。
【００１２】
このサービスバルブ１１を通過した液冷媒は、膨張弁（図示せず）によって減圧されて蒸発器（図外）へ流入する。この蒸発器へ流入した液冷媒は、そこで蒸発して周囲から熱を吸収することにより、ショーケース等の庫内を冷却する。
【００１３】
次に、前記電装箱２０について、図３乃至図７に基づいて、詳述する。図３の電装箱２０の分解斜視図に示すように、この電装箱２０は、主として左側面２６上に複数の各種電装部品等を固定する断面形状がコ字形状の箱本体２１と、箱本体２１の右側面開口及び前後の側面開口を閉塞するための断面形状がコ字形状の蓋体２２とから構成される。
【００１４】
即ち、前記箱本体２１の上下壁２３右端には対向するように取付け片２４が折曲され、各取付け片２４中央部に開設された取付孔２５及び前記蓋体２２の右側面２７上下部に開設した取付孔２８にネジ（図示せず）を前記凝縮ユニット１の右方から螺合させることにより、箱本体２１に蓋体２２を固定させて前記電装箱２０を組付けることができる。
【００１５】
箱本体２１の右側面図である図４及び背面図である図５に示すように、前記箱本体２１には、主として左側面２６上に複数の各種電装部品等が固定され、また一方の上壁２３のやや右寄りの中間部に固定片３０が固定されて取付片３１が垂下するように、断面がＬ字形状の端子板用取付板３２が設けられる。
【００１６】
そして、図６及び図７に示すように、前記箱本体２１の左側面２６上には、下部には凝縮器放熱用送風機７の電動機６の運転コンデンサ３４、３５、中間部には後部にヒューズ３６及び前部にリレー３７が固定され、上部の前記取付板３２上には接続される配線が前方向及び後方向に引き出されるように複数の端子を備えた端子台である端子板３８が固定される。この端子板３８には各端子が上下方向に並設されたものが前後に二列配設され、配線との接続が箱本体２１の前開口部を介して前方向から前列の各端子に、箱本体２１の後開口部を介して後方向から後列の各端子に接続される。
【００１７】
また、前記取付板３２（端子板３８）の左方（奥方）には、前後方向のほぼ前半分がかかるようにリレー３９が前記左側面２６上に固定され、また少なくとも一部が、即ちほぼ上半分がかかるように取付け方向性のない前記電装部品であるヒューズ４０及びヒューズ４０を保持したヒューズホルダ４１が斜めに配設されて前記左側面２６上に固定される。即ち、サービス性を損なわないように、取り替え頻度が高い電装部品であるヒューズ４０をユーザーが取り替え易いように、前記箱本体２１の後面開口部近くに配設すると共に、電装箱１０のサイズを大きくすることなく且つスペースを有効に利用すべく、斜めに、即ちその下部が約４５度位外方に傾斜させて斜めに配設する。
【００１８】
なお、取付け方向性のない前記電装部品は、ヒューズ４０やヒューズホルダ４１に限らず、他の電装部品でもよく、更にこの取付け方向性のない前記電装部品を前記端子板３８に対して斜めとなるように配設するに限らず、サービス性、メンテナンス性を損なわないために、取付ける方向を問うことなく配設してもよい。
【００１９】
従って、前述したような各種電装部品を前記箱本体２１内に配設した状態にして、種々の配線処理をする。即ち、各電装部品は配線を介して直接的に端子板３８の端子に接続したり、他の電装部品を介してから端子板３８の端子に接続する。例えば、ヒューズ４０を保持するヒューズホルダ４１は配線を介して端子板３８の端子に接続したり、他のリレーに配線を介して接続した後に当該リレーから配線を介して端子板３８の端子に接続する。
【００２０】
また、左側面２６上部に開設された開口４３を介して外部電源に接続される配線を前記端子板３８の端子に接続したり、前記凝縮ユニット（熱交換装置）１内に配設される圧縮機３や凝縮器放熱用送風機７の電動機６等に接続された配線は左側面２６下部に開設された開口４４を介して前記端子板３８の端子に接続する。
【００２１】
以上のように端子板３８の端子に、複数の配線を端子を介して接続するが、特に前記箱本体２１には前後開口部が開設されてあるために、端子板３８の端子に対して配線を前方向及び後方向から接続又は外し易くなると共に、ヒューズ４０を保持したヒューズホルダ４１はその下部が約４５度位後外方に向けて傾斜させて斜めに配設してあるので、ヒューズホルダ４１に接続される配線は前記箱本体２１の後開口部の後下方向から抜いたり、逆に接続したりするのが容易である。
【００２２】
以上のようにほとんどの配線を接続した後に、ユニットベース４上にこれら電装部品を配設した状態の箱本体２１を固定し、次いでその他の必要な配線を端子板３８の端子に接続した後、蓋体２２を箱本体２１に固定する。
【００２３】
以上のような構成にしたために、作業者は凝縮ユニット１の右側面側に移動して、蓋体２２を箱本体２１から外すことにより、各種電装部品を正面に見ることができる。なお、凝縮ユニット１に右側壁がある場合には、この右側壁の全て又は一部を凝縮ユニット１から外して、同様に、蓋体２２を箱本体２１から外すことにより、各種電装部品を正面に見ることができる。従って、蓋体２２を箱本体２１から外して、箱本体２１内に手や工具を挿入する等により、各種電装部品の操作、確認、設定或いは交換等を簡単に行うことができる。
【００２４】
即ち、蓋体２２を箱本体２１から外して、例えば前記ヒューズ４０を交換する場合には、前記箱本体２１の後開口部を介して、ヒューズ４０をヒューズホルダ４１から外し、新しいヒューズ４０をヒューズホルダ４１に取付ける。その後、蓋体２２を箱本体２１に取付ける。
【００２５】
以上本発明の実施態様について説明したが、上述の説明に基づいて当業者にとって種々の代替例、修正又は変形が可能であり、本発明はその趣旨を逸脱しない範囲で前述の種々の代替例、修正又は変形を包含するものである。
【図面の簡単な説明】
【００２６】
【図１】凝縮ユニットの平面図である。
【図２】凝縮ユニットの正面図である。
【図３】電装箱の分解斜視図である。
【図４】電装部品を取付ける前の箱本体の右側面図である。
【図５】電装部品を取付ける前の箱本体の背面図である。
【図６】電装部品を取付けた後の箱本体の右側面図である。
【図７】電装部品を取付けた後の箱本体の背面図である。
【符号の説明】
【００２７】
２０              電装箱
２１              箱本体
２２              蓋体
３２              端子板用取付板
３８              端子板
４０              ヒューズ
４１              ヒューズホルダ
【図１】
2007113819.tif 000003
【図２】
2007113819.tif 000004
【図３】
2007113819.tif 000005
【図４】
2007113819.tif 000006
【図５】
2007113819.tif 000007
【図６】
2007113819.tif 000008
【図７】
2007113819.tif 000009